(57)【要約】【課題】パネルの穴より大きい表示部や演算部をパネルの穴を拡げることなくパネルに取付けることが可能なパネル取付型電子機器の取付構造を提供する。【解決手段】パネル２に形成された部品挿入用の穴１１と、電子機器１の表示部３とパネル２との接続部を構成する前側取付部１２とを備える。パネル２の後面２ｂに重ねられて電子機器１の演算部４の取付座となる後側取付部１３と、前側取付部１２と後側取付部１３とを接続してこれら両者の間隔を変えるねじ部材１４とを備える。前側取付部１２と後側取付部１３とのうち少なくともいずれか一方は、部品挿入用の穴１１を通過可能に形成されている。前側取付部１２と後側取付部１３は、ねじ部材１４が締め込まれることにより互いに協働してパネル２を挟持する挟持部（前側の挟持部３１、後側の挟持部３２）をそれぞれ有している。【選択図】  図２
2020077656.tif 000002
【特許請求の範囲】
【請求項１】
電子機器が取付けられるパネルに形成され、前記電子機器の表示部によって前方から覆われる部品挿入用の穴と、
前記表示部と前記パネルとの接続部を構成する前側取付部と、
前記パネルの後面に重ねられて前記電子機器の演算部の取付座を構成する後側取付部と、
前記前側取付部と前記後側取付部とを接続し、前記前側取付部と後側取付部との間隔を変えるねじ部材とを備え、
前記前側取付部と前記後側取付部とのうち少なくともいずれか一方は、これらの前側取付部と後側取付部とが前記ねじ部材によって互いに接続された状態で前記部品挿入用の穴を通過可能に形成され、
前記前側取付部と前記後側取付部は、前記ねじ部材が締め込まれることにより互いに協働して前記パネルを挟持する挟持部をそれぞれ有していることを特徴とするパネル取付型電子機器の取付構造。
【請求項２】
請求項１記載のパネル取付型電子機器の取付構造において、
前記前側取付部は、前記表示部が着脱可能な板状に形成されているとともに、前記パネルに沿う姿勢においては前記部品挿入用の穴を通過できない大きさに形成され、
前記後側取付部は、前記前側取付部に前記ねじ部材によって接続された状態で前記部品挿入用の穴を通過可能に形成され、
前記ねじ部材は、前記前側取付部を貫通して前記後側取付部に螺着されていることを特徴とするパネル取付型電子機器の取付構造。
【請求項３】
請求項１または請求項２記載のパネル取付型電子機器の取付構造において、
前記後側取付部は、
前記パネルの後面に重ねられる連結部と、
前記板状部から前記パネルの後方に突出して前記電子機器の演算部を支持する腕部とを有していることを特徴とするパネル取付型電子機器の取付構造。
【発明の詳細な説明】
【技術分野】
【０００１】
本発明は、表示部を有する電子機器をパネルに設置するために用いるパネル取付型電子機器の取付構造に関する。
【背景技術】
【０００２】
従来のパネル取付型電子機器の取付構造としては、例えば特許文献１に記載されているものがある。特許文献１に記載されている電子機器は、ディスプレイを有する表示部と、記憶部や制御部などを有する演算部などを一つの筐体に収容したものである。
【０００３】
特許文献１に開示された取付構造は、表示部がパネルの前側に位置し、表示部より後側に位置する演算部がパネルの部品挿入用の穴に挿入される状態で電子機器をパネルに固定するものである。部品挿入用の穴は演算部が嵌合状態で挿入されるように形成されている。
この電子機器の固定は、演算部の後側に設けられた複数の取付片をねじによってパネルの後面に取付けることにより行われる。
【先行技術文献】
【特許文献】
【０００４】
【特許文献１】特開２０１４−９８８５号公報
【発明の概要】
【発明が解決しようとする課題】
【０００５】
特許文献１に示すパネル取付型電子機器の取付構造では、電子機器の一部がパネルの部品挿入用の穴に挿入されているから、この穴と同じ大きさの電子機器しか設置することができない。このため、電子機器を新しい機種のものと交換するにあたって、表示部や演算部がパネルの穴より大きいと、これらをパネルに取付けることはできないという問題があった。
このような不具合を解消するためには、電子機器の大きさに合わせてパネルの穴を拡げることが考えられる。しかし、このような作業は、作業者の負担が増えるために避けなければならない。
【０００６】
本発明の目的は、パネルの穴より大きい電子機器をパネルの穴を拡げることなくパネルに取付けることが可能なパネル取付型電子機器の取付構造を提供することである。
【課題を解決するための手段】
【０００７】
この目的を達成するために、本発明に係るパネル取付型電子機器の取付構造は、部品取付用のパネルに形成された部品挿入用の穴と、前記表示部と前記パネルとの接続部を構成する前側取付部と、前記パネルの後面に重ねられて前記電子機器の演算部の取付座を構成する後側取付部と、前記前側取付部と前記後側取付部とを接続し、前記前側取付部と後側取付部との間隔を変えるねじ部材とを備え、前記前側取付部と前記後側取付部とのうち少なくともいずれか一方は、これらの前側取付部と後側取付部とが前記ねじ部材によって互いに接続された状態で前記部品挿入用の穴を通過可能に形成され、前記前側取付部と前記後側取付部は、前記ねじ部材が締め込まれることにより互いに協働して前記パネルを挟持する挟持部をそれぞれ有しているものである。
【０００８】
本発明は、前記パネル取付型電子機器の取付構造において、前記前側取付部は、前記表示部が着脱可能な板状に形成されているとともに、前記パネルに沿う姿勢においては前記部品挿入用の穴を通過できない大きさに形成され、前記後側取付部は、前記前側取付部に前記ねじ部材によって接続された状態で前記部品挿入用の穴を通過可能に形成され、前記ねじ部材は、前記前側取付部を貫通して前記後側取付部に螺着されていてもよい。
【０００９】
本発明は、前記パネル取付型電子機器の取付構造において、前記後側取付部は、前記パネルの後面に重ねられる連結部と、前記連結部から前記パネルの後方に突出して前記電子機器の演算部を支持する腕部とを有していてもよい。
【発明の効果】
【００１０】
本発明においては、前側取付部に後側取付部をねじ部材によって取付けた状態で前側取付部と後側取付部のいずれか一方をパネルの部品挿入用の穴に挿入し、その後、ねじ部材を締め込むことによって、前側取付部と後側取付部とがパネルを挟持する状態でパネルに固定される。前側取付部には電子機器の表示部を取付けることができ、後側取付部には電子機器の演算部を取付けることができる。これらの表示部と演算部は、パネルの部品挿入用の穴に通す必要がないから、部品挿入用の穴より大きいものを使用することができる。
このため、本発明によれば、前側取付部と後側取付部との二つの部品を使用するだけで表示部と演算部とをパネルに取付けることができる。したがって、パネルより前側に位置する表示部と、パネルより後側に位置する演算部とがパネルの部品挿入用の穴より大きいにもかかわらず、部品挿入用の穴を拡げることなくこれらをパネルに取付けることが可能なパネル取付型電子機器の取付構造を提供することができる。
【図面の簡単な説明】
【００１１】
【図１】本発明に係るパネル取付型電子機器の取付構造を用いてパネルに取付けられた電子機器の正面図である。
【図２】図１における要部のII−II線断面図である。
【図３】本発明に係るパネル取付型電子機器の取付構造の分解斜視図である。
【図４】本発明に係るパネル取付型電子機器の取付構造の分解斜視図である。
【図５】前側取付部に後側取付部を接続して組立体を形成した状態を示す断面図である。
【図６】パネルの穴に後側取付部の一部を挿入している状態を示す断面図である。
【図７】後側取付部をパネルの後側に挿入した状態を示す断面図である。
【図８】前側取付部と後側取付部とをパネルに仮に保持させた状態を示す断面図である。
【図９】前側取付部と後側取付部とによってパネルを挟持している状態を示す断面図である。
【図１０】表示部を取付けた状態を示す断面図である。
【図１１】制御部を取付けた状態を示す断面図である。
【図１２】前側取付部の変形例を示す正面図である。
【図１３】前側取付部をパネルの穴に挿入している状態を示す断面図である。
【図１４】前側取付部の変形例を示す断面図である。
【発明を実施するための形態】
【００１２】
以下、本発明に係るパネル取付型電子機器の取付構造の一実施の形態を図１〜図１１を参照して詳細に説明する。
図１に示すパネル取付型電子機器１は、パネル２の前面側に位置する表示部３と、パネル２の後方に位置する演算部４とを備えている。図１は、表示部３の一部と後述する前側取付部１１の一部を破断した状態で描いてある。表示部３の前面にはディスプレイ３ａが設けられている。これらの表示部３と演算部４は、図２に示すように、本発明に係る取付構造５によってパネル２に取付けられている。以下において、この取付構造５の構成を説明するうえで方向を示すにあたっては、便宜上、図１に示すようにパネル２の前方から見たときの方向を示す。
【００１３】
パネル２は、図示していない制御盤や配電盤などの前面を構成し、電子機器１が取付けられるもので、主に上下方向と左右方向に延びる状態で設置される。このパネル２には部品挿入用の穴１１が形成されている。この部品挿入用の穴１１は、図２に示すように、パネル２の前面２ａと後面２ｂとに開口してパネル２を前後方向に貫通している。この穴１１の開口形状は、パネル２の前方から見て正方形である。
この実施の形態による取付構造５は、図３に示すように、上述した部品挿入用の穴１１を使用して構成されており、この穴１１と、パネル２より前側に位置する前側取付部１２と、パネル２より後側に位置する後側取付部１３と、これらの前側取付部１２と後側取付部１３とを互いに接続する２本のねじ部材１４などを備えている。
【００１４】
前側取付部１２は、パネル２と表示部３との接続部を構成するもので、金属製の板材によって形成されている。この実施の形態による前側取付部１２は、図２に示すようにパネル２の前面２ａに沿う姿勢においてはパネル２の部品挿入用の穴１１に通すことができない形状に形成されている。詳述すると、前側取付部１２は、パネル２の前方から見て部品挿入用の穴１１より左右方向と上下方向との両方において大きく形成されている。この実施の形態による前側取付部１２は、前方から見て表示部３と同一の形状となるように形成されている。このため、図１に示す正面視においては、前側取付部１２は表示部３によって覆われて隠されている。すなわち、表示部３は前側取付部１２とともに部品挿入用の穴１１を前方から覆っている。表示部３と前側取付部１２を前方から見た形状は正方形である。
【００１５】
前側取付部１２には、図３に示すように、ねじ部材１４が通される二つの貫通孔１５，１５と、表示部３の配線（図示せず）が通される二つの長円状の穴１６，１６と、二つのねじ孔１７，１７とが形成されている。これらの貫通孔１５と、穴１６と、ねじ孔１７は、図１に示すように、それぞれ前方から見てパネル２の部品挿入用の穴１１の中に位置するように配設されている。
貫通孔１５は、図２に示すように、前側の孔径が後側の孔径より大きいテーパ状に形成されている。
ねじ孔１７は、表示部３を前側取付部１２に固定する固定用ボルト１８（図１参照）をねじ込むためのねじ孔である。表示部３は、詳細には図示してはいないが、前後方向に分割可能な前側筐体と後側筐体とを備えている。固定用ボルト１８は、後側筐体を前後方向に貫通してねじ孔１７に螺着されている。
【００１６】
後側取付部１３は、演算部４を取り付けるための取付座を構成するものである。この実施の形態による後側取付部１３は、金属製の板材を所定の形状に曲げて形成されており、図３および図４に示すように、パネル２の後面２ｂに重ねられる正面視長方形状の連結部２１と、この連結部２１の左右方向の両端からパネル２の後方に突出する一対の腕部２２とを備えている。
【００１７】
この後側取付部１３は、後述するねじ部材１４によって前側取付部１２に接続された状態で前後方向に傾斜することによって、パネル２の部品挿入用の穴１１を通過可能に形成されている。後側取付部１３の左右方向の幅Ｗ１は、図１に示すように、部品挿入用の穴１１の左右方向の開口幅Ｗ２より小さい。また、後側取付部１３の上下方向の幅Ｈ１は、部品挿入用の穴１１の上下方向の開口幅Ｈ２より大きい。
【００１８】
連結部２１には、ねじ部材１４が螺着する二つのねじ孔２３，２３と、表示部３の配線（図示せず）が通される二つの長円状の穴２４，２４とが形成されている。
腕部２２の後端には、図４に示すように、連結部２１と平行に腕部２２から左右方向の内側に延びる凸片２５が設けられている。この凸片２５には、演算部４がＤＩＮレール２６を介して取付けられる。このため、腕部２２は、演算部４を支持することになる。
ＤＩＮレール２６は、左右方向に延びる状態で凸片２５に取付用ねじ２７（図２参照）によって取付けられる。演算部４は、図示していない係合構造によってＤＩＮレール２６に着脱可能に取付けられる。
このように腕部２２にＤＩＮレール２６を介して演算部４が取付けられることにより、後側取付部１３の連結部２１と演算部４との間に表示部３の配線（図示せず）を通すための隙間Ｓ１（図２参照）が形成される。
【００１９】
ねじ部材１４は、この実施の形態においては皿ねじが用いられている。このねじ部材１４の頭部１４ａ（図２参照）は、前側取付部１２のテーパ状の貫通孔１５に収容される。このねじ部材１４が前側取付部１２の貫通孔１５に通されて後側取付部１３のねじ孔２３にねじ込まれることにより、前側取付部１２と後側取付部１３とがねじ部材１４を介して接続される。そして、このねじ部材１４を締め込んだり緩めたりすることにより、前側取付部１２と後側取付部１３との間隔が変わる。
【００２０】
前側取付部１２がパネル２の前面２ａに重なり、後側取付部１３がパネル２の後面２ｂに重なる状態でねじ部材１４が締め込まれることによって、図２に示すように、前側取付部１２と後側取付部１３とが互いに協働してパネル２を挟持する。この実施の形態においては、前側取付部１２における部品挿入用の穴１１を囲む端縁部がパネル２を挟持する前側の挟持部３１（図１参照）として機能する。また、後側取付部１３における部品挿入用の穴１１より上側と下側とに位置する上下方向の両端部がパネル２を挟持する後側の挟持部３２として機能する。
【００２１】
このように構成された取付構造５によってパネル取付型電子機器１の表示部３と演算部４とをパネル２に取付けるためには、先ず、図５に示すように、前側取付部１２と後側取付部１３とをねじ部材１４によって接続し、一つの組立体３３とする。このとき前側取付部１２と後側取付部１３との間にパネル２の厚みより広い隙間Ｓ２を形成しておく。
【００２２】
次に、図６に示すように、組立体３３を前後方向に傾斜させて後側取付部１３の上端あるいは下端をパネル２の部品挿入用の穴１１に前方から挿入する。そして、図７に示すように、パネル２が前側取付部１２と後側取付部１３との間に挿入されるように組立体３３を立てる。この状態においては、ねじ部材１４がパネル２の穴１１に通されているために、図８に示すように、ねじ部材１４を穴１１の下側の開口縁に支承させることによって、パネル２を用いて組立体３３を仮に保持することが可能である。
【００２３】
図８に示す状態においては、前側取付部１２の下部と後側取付部１３の下部とがパネル２を挟むような位置にあるから、組立体３３がパネル２から脱落することはない。図８に示す状態で組立体３３が後方に向けて倒れた場合には、前側取付部１２の上端部がパネル２の前面２ａに当たる。また、組立体３３を後側取付部１３が部品挿入用の穴１１に通る位置から左右方向に移動させておくことによって、図８に示す状態で組立体３３が前方に向けて倒れた場合は、後側取付部１３の上端部がパネル２の後面２ｂに当たる。このため、図８に示すようにねじ部材１４が部品挿入用の穴１１の下側の開口縁に支承されている状態においては、作業者（図示せず）が組立体３３から手を離しても組立体３３が落下することなくパネル２に保持される。
【００２４】
図７に示すように組立体３３を立てた後、前側取付部１２を正しい位置に位置付けた状態でねじ部材１４を締め込み、図９に示すように、前側取付部１２と後側取付部１３とでパネル２を挟む。そして、図１０に示すように、前側取付部１２に前方から表示部３を取付ける。このときに表示部３の配線を前側取付部１２の穴１６と後側取付部１３の穴２４とに通し、パネル２の後方に導いておく。ここまでの作業は、パネル２より前側で行うことができる。
【００２５】
次に、パネル２の後方において、図１１に示すように、後側取付部１３の凸片２５にＤＩＮレール２６を取付け、さらに、このＤＩＮレール２６に演算部４を取付ける。演算部４に図示していない各種の配線を接続することによって、このパネル取付型電子機器１の取付作業が終了する。
【００２６】
この実施の形態においては、前側取付部１２に後側取付部１３をねじ部材１４によって取付けた状態で後側取付部１３をパネル２の部品挿入用の穴１１に挿入し、その後、ねじ部材１４を締め込むことによって、前側取付部１２と後側取付部１３とがパネル２を挟持する状態でパネル２に固定される。前側取付部１２には表示部３を取付けることができ、後側取付部１３には演算部４を取付けることができる。これらの表示部３と演算部４は、パネル２の部品挿入用の穴１１に通す必要がないから、部品挿入用の穴１１より大きいものを使用することができる。
【００２７】
このため、この実施の形態によれば、前側取付部１２と後側取付部１３との二つの部品を使用するだけで表示部３と演算部４とをパネル２に取付けることができる。したがって、パネル２より前側に位置する表示部３と、パネル２より後側に位置する演算部４とがパネル２の部品挿入用の穴１１より大きいにもかかわらず、これらをパネル２に取付けることが可能なパネル取付型電子機器の取付構造を提供することができる。
【００２８】
また、この実施の形態によるパネル取付型電子機器１の取付構造５において、前側取付部１２と後側取付部１３との接続は、ねじ部材１４のみで行われている。このため、パネル２の厚みの影響を受けることなく前側取付部１２と後側取付部１３とでパネル２を挟持することができる。このことは、この実施の形態による取付構造５を採用することにより、厚みが異なるパネル２にパネル取付型電子機器１を取付けることが可能になることを意味する。
【００２９】
この実施の形態による前側取付部１２は、表示部３が着脱可能な板状に形成されているとともに、パネル２に沿う姿勢においては部品挿入用の穴１１を通過できない大きさに形成されている。後側取付部１３は、前側取付部１２にねじ部材１４によって接続された状態で部品挿入用の穴１１を通過可能に形成されている。ねじ部材１４は、前側取付部１２を貫通して後側取付部１３に螺着されている。
このため、この実施の形態においては、前側取付部１２と、後側取付部１３と、表示部３とをパネル２に取付ける作業をパネル２の前方で行うことができる。すなわち、作業者（図示せず）が表示部３をパネル２に取付けた後にパネル２の後方に移動し、後側取付部１３にＤＩＮレール２６と演算部４とを取付けることができるから、一人の作業者で取付作業を実施可能である。
【００３０】
この実施の形態による後側取付部１３は、パネル２の後面２ｂに重なる連結部２１と、連結部２１からパネル２の後方に突出して演算部４を支持する腕部２２とを有している。
このため、後側取付部１３の連結部２１と演算部４との間に隙間Ｓ１が形成され、この隙間に表示部３の配線を通すことが可能になるから、演算部４の取付作業を表示部３の配線を避けながら簡単に行うことができる。
【００３１】
（前側取付部の変形例１）
前側取付部１２は、図１２および図１３に示すように上下方向に長い長方形状に形成することができる。これらの図において、図１〜図１１によって説明したものと同一もしくは同等の部材については、同一符号を付し詳細な説明を適宜省略する。
図１２に示す前側取付部１２は、パネル２の前方から見て上下方向に長い長方形状に形成されている。この前側取付部１２の上下方向の高さＨ３は、パネル２の部品挿入用の穴１１の上下方向の開口幅Ｈ２より大きい。また、前側取付部１２の左右方向の幅Ｗ３は、部品挿入用の穴１１の左右方向の開口幅Ｗ２より小さい。このため、前側取付部１２は、図１３に示すように前後方向に傾斜させることにより部品挿入用の穴１１に通すことが可能である。
【００３２】
この実施の形態においては、前側取付部１２と後側取付部１３をパネル２の後方で互いに接続し、後側取付部１３にＤＩＮレール２６と演算部４とを取付けた状態で前側取付部１２を後方からパネル２の穴１１に通すことができる。
この形態を採る場合であっても、パネル２の部品挿入用の穴１１より大きい表示部３と演算部４とを、この穴１１を使用してパネル２に取付けることができる。
【００３３】
この実施の形態においては、前側取付部１２と後側取付部１３との両方がパネル２の穴１１に通すことが可能に形成されている。しかし、前側取付部１２と後側取付部１３とのうち少なくともいずれか一方が穴１１に通過可能に形成されていれば、上述した各実施の形態を採るときと同様に表示部３と演算部４とをパネル２に取付けることができる。
【００３４】
（前側取付部の変形例２）
上述した各実施の形態で示した前側取付部１２は表示部３とは別体に形成されている。しかし、前側取付部１２は、図１４に示すように、表示部３の筐体によって構成することができる。図１４において、図１〜図１１によって説明したものと同一もしくは同等の部材については、同一符号を付し詳細な説明を適宜省略する。
【００３５】
図１４に示す表示部３の筐体４１は、パネル２の前面に重ねられる箱状の基部４２と、この基部４２の開口部を閉塞するカバー４３とを備えている。基部４２とカバー４３は、それぞれプラスチック材料によって形成されている。
基部４２は、パネル２に沿う状態でパネル２の前方から見てパネル２の部品挿入用の穴１１より大きくなるように形成されている。この基部４２におけるパネル２の前面２ａに接する底板４２ａの中央部には、ねじ部材１４を通すための貫通孔１５が穿設されている。この実施の形態においては、基部４２の底板４２ａが表示部３とパネル２との接続部を構成しており、本発明でいう「前側取付部」に相当する。
カバー４３は、図示していない取付用ねじによって基部４２に前方から着脱可能に取付けられる。
このように筐体４１の基部４２の底板４２ａが前側取付部となる構成を採ると、専ら前側取付部となる部品が不要になるから、パネル取付型電子機器１をさらに簡単にパネル２に取付けることができる。
【符号の説明】
【００３６】
１…パネル取付型電子機器、２…パネル、２ａ…前面、２ｂ…後面、３…表示部、４…演算部、１１…部品挿入用の穴、１２…前側取付部、１３…後側取付部、１４…ねじ部材、２１…連結部、２２…腕部、３１，３２…挟持部、４２ａ…底板。
【図１】
2020077656.tif 000003
【図２】
2020077656.tif 000004
【図３】
2020077656.tif 000005
【図４】
2020077656.tif 000006
【図５】
2020077656.tif 000007
【図６】
2020077656.tif 000008
【図７】
2020077656.tif 000009
【図８】
2020077656.tif 000010
【図９】
2020077656.tif 000011
【図１０】
2020077656.tif 000012
【図１１】
2020077656.tif 000013
【図１２】
2020077656.tif 000014
【図１３】
2020077656.tif 000015
【図１４】
2020077656.tif 000016